(57)【要約】【課題】蓄電装置が過充電するのを抑止しつつ変速機を変速する際の変速ショックを抑制する。【解決手段】遊星歯車機構のサンギヤ，キャリア，リングギヤに第１モータ，エンジン，駆動軸が接続されると共に変速機を介して駆動軸に第２モータが接続された自動車において、第２モータから正のトルクが出力されている状態で変速機をアップシフトする際に第２モータから駆動軸へ伝達されるトルクが低下するとき（トルク相を判定するフラグＦ１が値１のとき）、エンジンの目標回転数Ｎｅ＊を減少させて第１モータのトルク指令Ｔｍ１＊（負のトルク）を小さくすることにより第１モータを介してエンジンから駆動軸に直接伝達される直達トルクを大きくしこれに伴って第１モータで発電される電力が第２モータで消費されるよう正の所定トルクＴｕｐを上乗せしたトルク指令Ｔｍ２＊を設定して（Ｓ２００〜Ｓ２６０）、エンジンと二つのモータと変速機とを制御する。【選択図】        図３
2006248466.tif 000002
【特許請求の範囲】
【請求項１】
駆動軸に動力を出力する動力出力装置であって、
内燃機関と、
該内燃機関の出力軸と前記駆動軸とに接続され、電力と動力の入出力により該内燃機関からの動力の少なくとも一部を該駆動軸に伝達可能な電力動力入出力手段と、
動力を入出力可能な電動機と、
変更可能な変速比をもって前記電動機の回転軸と前記駆動軸との動力の伝達を行なう変速伝達手段と、
前記電力動力入出力手段および前記電動機と電力のやり取りが可能な蓄電手段と、
前記電動機から正の駆動力を出力している最中に前記変速伝達手段における変速比の変更に伴って該電動機から前記駆動軸に伝達される駆動力が低下するときには、前記電力動力入出力手段を介して前記内燃機関から前記駆動軸に直接伝達される直達駆動力が増加するよう該内燃機関と該電力動力入出力手段とを制御すると共に該直達駆動力の増加により該電力動力入出力手段で発電される電力の少なくとも一部が該電動機により消費されるよう該電動機と前記変速伝達手段とを制御する変速比変更時制御手段と
を備える動力出力装置。
【請求項２】
前記変速比変更時制御手段は、前記変速伝達手段における変速比を増速方向に変更する際に前記電動機から前記駆動軸に伝達される駆動力が低下するとして制御する手段である請求項１記載の動力出力装置。
【請求項３】
前記変速比変更時制御手段は、前記電動機から出力する駆動力を所定駆動力だけ増加させることにより前記電力動力入出力手段で発電される電力の少なくとも一部が該電動機により消費されるよう制御する手段である請求項１または２記載の動力出力装置。
【請求項４】
請求項１ないし３いずれか記載の動力出力装置であって、
前記変速伝達手段は、係合部材の係合状態を変更することにより変速比を変更可能な手段であり、
前記変速比変更時制御手段は、前記直達駆動力の増加により前記電力動力入出力手段により発電される電力の少なくとも一部を前記電動機により消費させる際に該電動機から出力される駆動力に基づいて前記係合部材の係合状態が調整されるよう前記変速伝達手段を制御する手段である
動力出力装置。
【請求項５】
前記変速比変更時制御手段は、トルク相の開始から終了までに亘って前記電動機から前記駆動軸に伝達される駆動力が低下するとして制御する手段である請求項１ないし４いずれか記載の動力出力装置。
【請求項６】
前記変速比変更時制御手段は、変速比の変更指示がなされて所定時間が経過したときからイナーシャ相が開始されるまでに亘って前記電動機から前記駆動軸に伝達される駆動力が低下するとして制御する手段である請求項５記載の動力出力装置。
【請求項７】
前記変速比変更時制御手段は、前記電力動力入出力手段から入出力するトルクを変更することにより前記直達駆動力を増加させる手段である請求項１ないし６いずれか記載の動力出力装置。
【請求項８】
前記変速比変更時制御手段は、前記内燃機関の回転数の変更を伴って前記直達駆動力を増加させる手段である請求項７記載の動力出力装置。
【請求項９】
前記電力動力入出力手段は、前記内燃機関の出力軸と前記駆動軸と第３の軸の３軸に接続され該３軸のうちのいずれか２軸に入出力される動力に基づいて残余の１軸に動力を入出力する３軸式動力入出力手段と、前記第３の軸に動力を入出力する発電機とを備える手段である請求項１ないし８いずれか記載の動力出力装置。
【請求項１０】
前記電力動力入出力手段は、前記内燃機関の出力軸に接続された第１の回転子と前記駆動軸に接続された第２の回転子とを有し、該第１の回転子と該第２の回転子との相対的な回転により回転する対回転子電動機である請求項１ないし８いずれか記載の動力出力装置。
【請求項１１】
請求項１ないし１０いずれか記載の動力出力装置を搭載し、前記駆動軸に車軸が接続されて走行する自動車。
【請求項１２】
内燃機関と、該内燃機関の出力軸と駆動軸とに接続され電力と動力の入出力により該内燃機関からの動力の少なくとも一部を該駆動軸に伝達可能な電力動力入出力手段と、動力を入出力可能な電動機と、変更可能な変速比をもって前記電動機の回転軸と前記駆動軸との動力の伝達を行なう変速伝達手段と、前記電力動力入出力手段および前記電動機と電力のやり取りが可能な蓄電手段と、を備える動力出力装置の制御方法であって、
前記電動機から正の駆動力を出力している最中に前記変速伝達手段における変速比の変更に伴って該電動機から前記駆動軸に伝達される駆動力が低下するときには、前記電力動力入出力手段を介して前記内燃機関から前記駆動軸に直接伝達される直達駆動力が増加するよう該内燃機関と該電力動力入出力手段とを制御すると共に該直達駆動力の増加により該電力動力入出力手段で発電される電力の少なくとも一部が該電動機により消費されるよう該電動機と前記変速伝達手段とを制御する
動力出力装置の制御方法。
【発明の詳細な説明】
【技術分野】
【０００１】
本発明は、駆動軸に動力を出力する動力出力装置およびこれを搭載し前記駆動軸に車軸が接続されて走行する自動車並びに動力出力装置の制御方法に関する。
【背景技術】
【０００２】
従来、この種の動力出力装置としては、ハイブリッド自動車に搭載され、エンジンと、エンジンのクランクシャフトにキャリアが接続されると共に駆動軸にリングギヤが接続された遊星歯車機構と、この遊星歯車機構のサンギヤに接続された第１モータジェネレータと、変速機を介して駆動軸に接続された第２モータジェネレータと、第１および第２モータジェネレータと電力をやり取りするバッテリと、を備えるものが提案されている（例えば、特許文献１参照）。この装置では、変速機の変速段を変更する際、変速比の変更状態が変速開始後のトルク相の状態にあるときには第１モータジェネレータを介してエンジンから駆動軸に伝達されるトルクを増大させることにより、駆動軸へのトルクの落ち込みを緩和することができる、としている。
【特許文献１】特開２００４−２０３２２０号公報
【発明の開示】
【発明が解決しようとする課題】
【０００３】
上述したタイプの動力出力装置では、第１モータジェネレータを介してエンジンから駆動軸に伝達されるトルクを増大させると、第１モータジェネレータで発電される電力も増大するから、この増大した発電電力はバッテリに充電されることになるが、バッテリの状態によっては過大な電力がバッテリに入力されてバッテリが過充電する場合があるため、これに対する対策が必要となる。
【０００４】
本発明の動力出力装置およびこれを搭載する自動車並びに動力出力装置の制御方法は、蓄電装置に過大な電力が入力されるのを抑止しながら変速機の変速比を変更する際に駆動軸に出力される駆動力の低下を抑制することを目的の一つとする。また、本発明の動力出力装置およびこれを搭載する自動車並びに動力出力装置の制御方法は、変速機の変速比を変更する際に駆動軸に出力される駆動力が低下するのをより確実に抑制することを目的の一つとする。
【課題を解決するための手段】
【０００５】
本発明の動力出力装置およびこれを搭載する自動車並びに動力出力装置の制御方法は、上述の目的の少なくとも一部を達成するために以下の手段を採った。
【０００６】
本発明の動力出力装置は、
駆動軸に動力を出力する動力出力装置であって、
内燃機関と、
該内燃機関の出力軸と前記駆動軸とに接続され、電力と動力の入出力により該内燃機関からの動力の少なくとも一部を該駆動軸に伝達可能な電力動力入出力手段と、
動力を入出力可能な電動機と、
変更可能な変速比をもって前記電動機の回転軸と前記駆動軸との動力の伝達を行なう変速伝達手段と、
前記電力動力入出力手段および前記電動機と電力のやり取りが可能な蓄電手段と、
前記電動機から正の駆動力を出力している最中に前記変速伝達手段における変速比の変更に伴って該電動機から前記駆動軸に伝達される駆動力が低下するときには、前記電力動力入出力手段を介して前記内燃機関から前記駆動軸に直接伝達される直達駆動力が増加するよう該内燃機関と該電力動力入出力手段とを制御すると共に該直達駆動力の増加により該電力動力入出力手段で発電される電力の少なくとも一部が該電動機により消費されるよう該電動機と前記変速伝達手段とを制御する変速比変更時制御手段と
を備えることを要旨とする。
【０００７】
この本発明の動力出力装置では、電動機から正の駆動力を出力している最中に変速伝達手段における変速比の変更に伴って電動機から駆動軸に伝達される駆動力が低下するときには、電力動力入出力手段を介して内燃機関から駆動軸に直接伝達される直達駆動力が増加するよう内燃機関と電力動力入出力手段とを制御すると共に直達駆動力の増加により電力動力入出力手段で発電される電力の少なくとも一部が電動機により消費されるよう電動機と変速伝達手段とを制御する。従って、蓄電手段に過大な電力が入力されるのを抑止しながら変速伝達手段の変速比を変更する際に駆動軸に出力される駆動力が低下するのを抑制することができる。また、電力動力入出力手段で発電される電力の少なくとも一部を電動機により消費させるから、この電力消費を伴って電動機から出力される駆動力により駆動軸に出力される駆動力が低下するのをより確実に抑制することができる。
【０００８】
こうした本発明の動力出力装置において、前記変速比変更時制御手段は、前記変速伝達手段における変速比を増速方向に変更する際に前記電動機から前記駆動軸に伝達される駆動力が低下するとして制御する手段であるものとすることもできる。こうすれば、変速比を増速方向に変更する際に駆動軸に出力される駆動力が低下するのを抑制することができる。
【０００９】
また、本発明の動力出力装置において、前記変速比変更時制御手段は、前記電動機から出力する駆動力を所定駆動力だけ増加させることにより前記電力動力入出力手段で発電される電力の少なくとも一部が該電動機により消費されるよう制御する手段であるものとすることもできる。こうすれば、より簡易な処理により直達駆動力の増加により電力動力入出力手段により発電される電力の少なくとも一部を電動機により消費させることができる。
【００１０】
さらに、本発明の動力出力装置において、前記変速伝達手段は、係合部材の係合状態を変更することにより変速比を変更可能な手段であり、前記変速比変更時制御手段は、前記直達駆動力の増加により前記電力動力入出力手段により発電される電力の少なくとも一部を前記電動機により消費させる際に該電動機から出力される駆動力に基づいて前記係合部材の係合状態が調整されるよう前記変速伝達手段を制御する手段であるものとすることもできる。
【００１１】
また、本発明の動力出力装置において、前記変速比変更時制御手段は、トルク相の開始から終了までに亘って前記電動機から前記駆動軸に伝達される駆動力が低下するとして制御する手段であるものとすることもできる。この場合、前記変速比変更時制御手段は、変速比の変更指示がなされて所定時間が経過したときからイナーシャ相が開始されるまでに亘って前記電動機から前記駆動軸に伝達される駆動力が低下するとして制御する手段であるものとすることもできる。こうすれば、より容易にトルク相の開始と終了とを判断することができる。
【００１２】
また、本発明の動力出力装置において、前記変速比変更時制御手段は、前記電力動力入出力手段から入出力するトルクを変更することにより前記直達駆動力を増加させる手段であるものとすることもできる。この場合、前記変速比変更時制御手段は、前記内燃機関の回転数の変更を伴って前記直達駆動力を増加させる手段であるものとすることもできる。
【００１３】
本発明の動力出力装置において、前記電力動力入出力手段は、前記内燃機関の出力軸と前記駆動軸と第３の軸の３軸に接続され該３軸のうちのいずれか２軸に入出力される動力に基づいて残余の１軸に動力を入出力する３軸式動力入出力手段と、前記第３の軸に動力を入出力する発電機とを備える手段であるものとすることもできるし、前記電力動力入出力手段は、前記内燃機関の出力軸に接続された第１の回転子と前記駆動軸に接続された第２の回転子とを有し、該第１の回転子と該第２の回転子との相対的な回転により回転する対回転子電動機であるものとすることもできる。
【００１４】
本発明の自動車は、
上述した各態様のいずれかの本発明の動力出力装置、即ち、基本的には、駆動軸に動力を出力する動力出力装置であって、内燃機関と、該内燃機関の出力軸と前記駆動軸とに接続され電力と動力の入出力により該内燃機関からの動力の少なくとも一部を該駆動軸に伝達可能な電力動力入出力手段と、動力を入出力可能な電動機と、変更可能な変速比をもって前記電動機の回転軸と前記駆動軸との動力の伝達を行なう変速伝達手段と、前記電力動力入出力手段および前記電動機と電力のやり取りが可能な蓄電手段と、前記電動機から正の駆動力を出力している最中に前記変速伝達手段における変速比の変更に伴って該電動機から前記駆動軸に伝達される駆動力が低下するときには、前記電力動力入出力手段を介して前記内燃機関から前記駆動軸に直接伝達される直達駆動力が増加するよう該内燃機関と該電力動力入出力手段とを制御すると共に該直達駆動力の増加により該電力動力入出力手段で発電される電力の少なくとも一部が該電動機により消費されるよう該電動機と前記変速伝達手段とを制御する変速比変更時制御手段とを備える動力出力装置を搭載し、前記駆動軸に車軸が接続されて走行する
ことを要旨とする。
【００１５】
この本発明の自動車では、上述した各態様のいずれかの本発明の動力出力装置を搭載するから、本発明の動力出力装置が奏する効果と同様の効果、例えば、蓄電手段に過大な電力が入力されるのを抑止しながら変速伝達手段の変速比を変更する際に駆動軸に出力される駆動力が低下するのを抑制することができる効果や変速機の変速比を変更する際に駆動軸に出力される駆動力が低下するのをより確実に抑制することができる効果などを奏することができる。
【００１６】
本発明の動力出力装置の制御方法は、
内燃機関と、該内燃機関の出力軸と駆動軸とに接続され電力と動力の入出力により該内燃機関からの動力の少なくとも一部を該駆動軸に伝達可能な電力動力入出力手段と、動力を入出力可能な電動機と、変更可能な変速比をもって前記電動機の回転軸と前記駆動軸との動力の伝達を行なう変速伝達手段と、前記電力動力入出力手段および前記電動機と電力のやり取りが可能な蓄電手段と、を備える動力出力装置の制御方法であって、
前記電動機から正の駆動力を出力している最中に前記変速伝達手段における変速比の変更に伴って該電動機から前記駆動軸に伝達される駆動力が低下するときには、前記電力動力入出力手段を介して前記内燃機関から前記駆動軸に直接伝達される直達駆動力が増加するよう該内燃機関と該電力動力入出力手段とを制御すると共に該直達駆動力の増加により該電力動力入出力手段で発電される電力の少なくとも一部が該電動機により消費されるよう該電動機と前記変速伝達手段とを制御する
ことを要旨とする。
【００１７】
この本発明の動力出力装置の制御方法によれば、電動機から正の駆動力を出力している最中に変速伝達手段における変速比の変更に伴って電動機から駆動軸に伝達される駆動力が低下するときには、電力動力入出力手段を介して内燃機関から駆動軸に直接伝達される直達駆動力が増加するよう内燃機関と電力動力入出力手段とを制御すると共に直達駆動力の増加により電力動力入出力手段で発電される電力の少なくとも一部が電動機により消費されるよう電動機と変速伝達手段とを制御する。従って、蓄電手段に過大な電力が入力されるのを抑止しながら変速伝達手段の変速比を変更する際に駆動軸に出力される駆動力が低下するのを抑制することができる。また、電力動力入出力手段で発電される電力の少なくとも一部を電動機により消費させるから、この電力消費を伴って電動機から出力される駆動力により駆動軸に出力される駆動力が低下するのをより確実に抑制することができる。
【発明を実施するための最良の形態】
【００１８】
次に、本発明を実施するための最良の形態を実施例を用いて説明する。
【実施例】
【００１９】
図１は、本発明の一実施例である動力出力装置を搭載したハイブリッド自動車２０の構成の概略を示す構成図である。実施例のハイブリッド自動車２０は、図示するように、エンジン２２と、エンジン２２の出力軸としてのクランクシャフト２６にダンパ２８を介して接続された３軸式の動力分配統合機構３０と、動力分配統合機構３０に接続された発電可能なモータＭＧ１と、変速機６０を介して動力分配統合機構３０に接続されたモータＭＧ２と、車両の駆動系全体をコントロールするハイブリッド用電子制御ユニット７０とを備える。
【００２０】
エンジン２２は、ガソリンまたは軽油などの炭化水素系の燃料により動力を出力する内燃機関であり、エンジン２２の運転状態を検出する各種センサから信号を入力するエンジン用電子制御ユニット（以下、エンジンＥＣＵという）２４により燃料噴射制御や点火制御，吸入空気量調節制御などの運転制御を受けている。エンジンＥＣＵ２４は、ハイブリッド用電子制御ユニット７０と通信しており、ハイブリッド用電子制御ユニット７０からの制御信号によりエンジン２２を運転制御すると共に必要に応じてエンジン２２の運転状態に関するデータをハイブリッド用電子制御ユニット７０に出力する。
【００２１】
動力分配統合機構３０は、外歯歯車のサンギヤ３１と、このサンギヤ３１と同心円上に配置された内歯歯車のリングギヤ３２と、サンギヤ３１に噛合すると共にリングギヤ３２に噛合する複数のピニオンギヤ３３と、複数のピニオンギヤ３３を自転かつ公転自在に保持するキャリア３４とを備え、サンギヤ３１とリングギヤ３２とキャリア３４とを回転要素として差動作用を行なう遊星歯車機構として構成されている。動力分配統合機構３０は、キャリア３４にはエンジン２２のクランクシャフト２６が、サンギヤ３１にはモータＭＧ１が、リングギヤ３２には変速機６０を介してモータＭＧ２がそれぞれ連結されており、モータＭＧ１が発電機として機能するときにはキャリア３４から入力されるエンジン２２からの動力をサンギヤ３１側とリングギヤ３２側にそのギヤ比に応じて分配し、モータＭＧ１が電動機として機能するときにはキャリア３４から入力されるエンジン２２からの動力とサンギヤ３１から入力されるモータＭＧ１からの動力とを統合してリングギヤ３２に出力する。リングギヤ３２は、ギヤ機構３７，デファレンシャルギヤ３８を介して駆動輪３９ａ，３９ｂに機械的に接続されている。したがって、リングギヤ３２に出力された動力は、ギヤ機構３７，デファレンシャルギヤ３８を介して駆動輪３９ａ，３９ｂに出力されることになる。
【００２２】
モータＭＧ１およびモータＭＧ２は、共に発電機として駆動することができると共に電動機として駆動できる周知の同期発電電動機として構成されており、インバータ４１，４２を介してバッテリ５０と電力のやりとりを行なう。インバータ４１，４２とバッテリ５０とを接続する電力ライン５４は、各インバータ４１，４２が共用する正極母線および負極母線として構成されており、モータＭＧ１，ＭＧ２の一方で発電される電力を他のモータで消費することができるようになっている。したがって、バッテリ５０は、モータＭＧ１，ＭＧ２から生じた電力や不足する電力により充放電されることになる。なお、モータＭＧ１とモータＭＧ２とにより電力収支のバランスをとるものとすれば、バッテリ５０は充放電されない。モータＭＧ１，ＭＧ２は、共にモータ用電子制御ユニット（以下、モータＥＣＵという）４０により駆動制御されている。モータＥＣＵ４０には、モータＭＧ１，ＭＧ２を駆動制御するために必要な信号、例えばモータＭＧ１，ＭＧ２の回転子の回転位置を検出する回転位置検出センサ４３，４４からの信号や図示しない電流センサにより検出されるモータＭＧ１，ＭＧ２に印加される相電流などが入力されており、モータＥＣＵ４０からは、インバータ４１，４２へのスイッチング制御信号が出力されている。モータＥＣＵ４０は、回転位置検出センサ４３，４４から入力した信号に基づいて図示しない回転数算出ルーチンによりモータＭＧ１，ＭＧ２の回転子の回転数Ｎｍ１，Ｎｍ２を計算している。モータＥＣＵ４０は、ハイブリッド用電子制御ユニット７０と通信しており、ハイブリッド用電子制御ユニット７０からの制御信号によってモータＭＧ１，ＭＧ２を駆動制御すると共に必要に応じてモータＭＧ１，ＭＧ２の運転状態に関するデータをハイブリッド用電子制御ユニット７０に出力する。
【００２３】
変速機６０は、モータＭＧ２の回転軸４８とリングギヤ軸３２ａとの接続および接続の解除を行なうと共に両軸の接続をモータＭＧ２の回転軸４８の回転数を２段に減速してリングギヤ軸３２ａに伝達可能に構成されている。変速機６０の構成の一例を図２に示す。この図２に示す変速機６０は、ダブルピニオンの遊星歯車機構６０ａとシングルピニオンの遊星歯車機構６０ｂと二つのブレーキＢ１，Ｂ２とにより構成されている。ダブルピニオンの遊星歯車機構６０ａは、外歯歯車のサンギヤ６１と、このサンギヤ６１と同心円上に配置された内歯歯車のリングギヤ６２と、サンギヤ６１に噛合する複数の第１ピニオンギヤ６３ａと、この第１ピニオンギヤ６３ａに噛合すると共にリングギヤ６２に噛合する複数の第２ピニオンギヤ６３ｂと、複数の第１ピニオンギヤ６３ａおよび複数の第２ピニオンギヤ６３ｂを連結して自転かつ公転自在に保持するキャリア６４とを備えており、サンギヤ６１はブレーキＢ１のオンオフによりその回転を自由にまたは停止できるようになっている。シングルピニオンの遊星歯車機構６０ｂは、外歯歯車のサンギヤ６５と、このサンギヤ６５と同心円上に配置された内歯歯車のリングギヤ６６と、サンギヤ６５に噛合すると共にリングギヤ６６に噛合する複数のピニオンギヤ６７と、複数のピニオンギヤ６７を自転かつ公転自在に保持するキャリア６８とを備えており、サンギヤ６５はモータＭＧ２の回転軸４８に、キャリア６８はリングギヤ軸３２ａにそれぞれ連結されていると共にリングギヤ６６はブレーキＢ２のオンオフによりその回転が自由にまたは停止できるようになっている。ダブルピニオンの遊星歯車機構６０ａとシングルピニオンの遊星歯車機構６０ｂとは、リングギヤ６２とリングギヤ６６、キャリア６４とキャリア６８とによりそれぞれ連結されている。変速機６０は、ブレーキＢ１，Ｂ２を共にオフとすることによりモータＭＧ２の回転軸４８をリングギヤ軸３２ａから切り離すことができ、ブレーキＢ１をオフとすると共にブレーキＢ２をオンとしてモータＭＧ２の回転軸４８の回転を比較的大きな減速比で減速してリングギヤ軸３２ａに伝達し（以下、この状態をＬｏギヤの状態という）、ブレーキＢ１をオンとすると共にブレーキＢ２をオフ状態としてモータＭＧ２の回転軸４８の回転を比較的小さな減速比で減速してリングギヤ軸３２ａに伝達する（以下、この状態をＨｉギヤの状態という）。なお、ブレーキＢ１，Ｂ２を共にオンとする状態は回転軸４８やリングギヤ軸３２ａの回転を禁止するものとなる。
【００２４】
バッテリ５０は、バッテリ用電子制御ユニット（以下、バッテリＥＣＵという）５２によって管理されている。バッテリＥＣＵ５２には、バッテリ５０を管理するのに必要な信号、例えば、バッテリ５０の端子間に設置された図示しない電圧センサからの端子間電圧，バッテリ５０の出力端子に接続された電力ライン５４に取り付けられた図示しない電流センサからの充放電電流，バッテリ５０に取り付けられた図示しない温度センサからの電池温度Ｔｂなどが入力されており、必要に応じてバッテリ５０の状態に関するデータを通信によりハイブリッド用電子制御ユニット７０に出力する。なお、バッテリＥＣＵ５２では、バッテリ５０を管理するために電流センサにより検出された充放電電流の積算値に基づいて残容量（ＳＯＣ）も演算している。
【００２５】
ハイブリッド用電子制御ユニット７０は、ＣＰＵ７２を中心とするマイクロプロセッサとして構成されており、ＣＰＵ７２の他に処理プログラムを記憶するＲＯＭ７４と、データを一時的に記憶するＲＡＭ７６と、図示しない入出力ポートおよび通信ポートとを備える。ハイブリッド用電子制御ユニット７０には、イグニッションスイッチ８０からのイグニッション信号，シフトレバー８１の操作位置を検出するシフトポジションセンサ８２からのシフトポジションＳＰ，アクセルペダル８３の踏み込み量を検出するアクセルペダルポジションセンサ８４からのアクセル開度Ａｃｃ，ブレーキペダル８５の踏み込み量を検出するブレーキペダルポジションセンサ８６からのブレーキペダルポジションＢＰ，車速センサ８８からの車速Ｖなどが入力ポートを介して入力されている。また、ハイブリッド用電子制御ユニット７０からは、変速機６０のブレーキＢ１，Ｂ２の図示しないアクチュエータへの駆動信号などが出力されている。なお、ハイブリッド用電子制御ユニット７０は、前述したように、エンジンＥＣＵ２４やモータＥＣＵ４０，バッテリＥＣＵ５２と通信ポートを介して接続されており、エンジンＥＣＵ２４やモータＥＣＵ４０，バッテリＥＣＵ５２と各種制御信号やデータのやりとりを行なっている。
【００２６】
こうして構成された実施例のハイブリッド自動車２０は、運転者によるアクセルペダル８３の踏み込み量に対応するアクセル開度Ａｃｃと車速Ｖとに基づいて駆動軸としてのリングギヤ軸３２ａに出力すべき要求トルクを計算し、この要求トルクに対応する要求動力がリングギヤ軸３２ａに出力されるように、エンジン２２とモータＭＧ１とモータＭＧ２とが運転制御される。エンジン２２とモータＭＧ１とモータＭＧ２の運転制御としては、要求動力に見合う動力がエンジン２２から出力されるようにエンジン２２を運転制御すると共にエンジン２２から出力される動力のすべてが動力分配統合機構３０とモータＭＧ１とモータＭＧ２とによってトルク変換されてリングギヤ軸３２ａに出力されるようモータＭＧ１およびモータＭＧ２を駆動制御するトルク変換運転モードや要求動力とバッテリ５０の充放電に必要な電力との和に見合う動力がエンジン２２から出力されるようにエンジン２２を運転制御すると共にバッテリ５０の充放電を伴ってエンジン２２から出力される動力の全部またはその一部が動力分配統合機構３０とモータＭＧ１とモータＭＧ２とによるトルク変換を伴って要求動力がリングギヤ軸３２ａに出力されるようモータＭＧ１およびモータＭＧ２を駆動制御する充放電運転モード、エンジン２２の運転を停止してモータＭＧ２からの要求動力に見合う動力をリングギヤ軸３２ａに出力するよう運転制御するモータ運転モードなどがある。
【００２７】
次に、実施例のハイブリッド自動車２０の動作、特に、変速機６０の変速比を変更する際の動作について説明する。図３は、実施例のハイブリッド用電子制御ユニット７０により実行される駆動制御ルーチンの一例を示すフローチャートである。このルーチンは、所定時間毎（例えば、８ｍｓｅｃ毎）に繰り返し実行される。
【００２８】
駆動制御ルーチンが実行されると、ハイブリッド用電子制御ユニット７０のＣＰＵ７２は、まず、アクセルペダルポジションセンサ８４からのアクセル開度Ａｃｃや車速センサ８８からの車速Ｖ，モータＭＧ１，ＭＧ２の回転数Ｎｍ１，Ｎｍ２，バッテリ５０の残容量ＳＯＣ，バッテリ５０の入出力制限Ｗｉｎ，Ｗｏｕｔ，変速機６０のギヤ比Ｇｒなどの制御に必要なデータを入力する処理を行なう（ステップＳ１００）。ここで、モータＭＧ１，ＭＧ２の回転数Ｎｍ１，Ｎｍ２は、回転位置検出センサ４３，４４により検出されるモータＭＧ１，ＭＧ２の回転子の回転位置に基づいて演算されたものをモータＥＣＵ４０から通信により入力するものとした。残容量ＳＯＣは、電流センサにより検出されたバッテリ５０の充放電電流に基づいてバッテリＥＣＵ５２により演算されたものをバッテリＥＣＵ５２から通信により入力するものとした。入出力制限Ｗｉｎ，Ｗｏｕｔは、残容量ＳＯＣや電池温度Ｔｂなどに基づいてバッテリＥＣＵ５２により設定されたものをバッテリＥＣＵ５２から通信により入力するものとした。変速機６０のギヤ比Ｇｒは、基本的には、変速比が変更されたときのギヤの状態に基づいてＨｉギヤのギヤ比ＧｈｉかＬｏギヤのギヤ比Ｇｌｏかのいずれかをギヤ比Ｇｒとして入力するものとし、変速比の変更中にはモータＭＧ２の回転数Ｎｍ２をリングギヤ軸３２ａの回転数Ｎｒで割って演算されたものをギヤ比Ｇｒとして入力するものとした。なお、リングギヤ軸３２ａの回転数Ｎｒは、車速Ｖに換算係数ｋを乗じることにより求めることができる。
【００２９】
こうしてデータを入力すると、入力したアクセル開度Ａｃｃと車速Ｖとに基づいて駆動輪３９ａ，３９ｂに連結された駆動軸としてのリングギヤ軸３２ａに出力すべき要求トルクＴｒ＊とエンジン２２から出力すべき要求パワーＰｅ＊とを設定する（ステップＳ１１０）。ここで、要求トルクＴｒ＊は、実施例では、アクセル開度Ａｃｃと車速Ｖと要求トルクＴｒ＊との関係を予め定めて要求トルク設定用マップとしてＲＯＭ７４に記憶しておき、アクセル開度Ａｃｃと車速Ｖとが与えられると記憶しているマップから対応する要求トルクＴｒ＊を導出して設定するものとした。要求トルク設定用のマップの一例を図４に示す。また、要求パワーＰｅ＊は、要求トルクＴｒ＊にリングギヤ軸３２ａの回転数Ｎｒを乗じたものとバッテリ５０の充放電要求パワーＰｂ＊と損失Ｌｏｓｓとの和により演算されたものを設定するものとした。なお、充放電要求パワーＰｂ＊は、残容量ＳＯＣやアクセル開度Ａｃｃに基づいて設定することができる。
【００３０】
要求パワーＰｅ＊を設定すると、設定した要求パワーＰｅ＊とエンジン２２を効率よく運転させる動作ラインとに基づいてエンジン２２の目標回転数Ｎｅ＊と目標トルクＴｅ＊を設定する（ステップＳ１２０）。エンジン２２の動作ラインの一例および目標回転数Ｎｅ＊と目標トルクＴｅ＊とを設定する様子を図５に示す。目標回転数Ｎｅ＊と目標トルクＴｅ＊は、図示するように、動作ラインと要求パワーＰｅ＊（＝Ｎｅ＊×Ｔｅ＊）が一定の曲線との交点により求めることができる。
【００３１】
次に、変速機６０の変速比が変更されている最中（変速処理中）であるかを判定し（ステップＳ１３０）、変速処理中でないと判定されたときには変速機６０の変速比を変更するよう変速要求がなされているかを判定する（ステップＳ１４０）。ここで、変速要求は、実施例では、要求トルクＴｒ＊と車速Ｖと変速機６０の現在のギヤの状態とに基づいて予め定められたタイミングで行なうものとした。変速処理中でなく変速要求もなされていないと判定されたときには、調整トルクＴｓｅｔに値０を設定する（ステップＳ１５０）。ここで、調整トルクＴｓｅｔは、モータＭＧ２から出力するトルクを調整するためのものであり、その詳細は後述する。
【００３２】
そして、設定した目標回転数Ｎｅ＊とリングギヤ軸３２ａの回転数Ｎｒ（＝ｋ・Ｖ）と動力分配統合機構３０のギヤ比ρとを用いて次式（１）によりモータＭＧ１の目標回転数Ｎｍ１＊を設定すると共に設定した目標回転数Ｎｍ１＊と現在の回転数Ｎｍ１とに基づいて次式（２）によりモータＭＧ１のトルク指令Ｔｍ１＊を設定する（ステップＳ２５０）。動力分配統合機構３０の各回転要素の回転数とトルクの力学的な関係を示す共線図を図６に示す。図中、左のＳ軸はサンギヤ３１の回転数を示し、Ｃ軸はキャリア３４の回転数を示し、Ｒ軸はリングギヤ３２（リングギヤ軸３２ａ）の回転数Ｎｒを示す。前述したように、サンギヤ３１の回転数はモータＭＧ１の回転数Ｎｍ１でありキャリア３４の回転数はエンジン２２の回転数Ｎｅであるから、モータＭＧ１の目標回転数Ｎｍ１＊はリングギヤ軸３２ａの回転数Ｎｒとエンジン２２の目標回転数Ｎｅ＊と動力分配統合機構３０のギヤ比ρとに基づいて式（１）により計算することができる。したがって、モータＭＧ１が目標回転数Ｎｍ１＊で回転するようトルク指令Ｔｍ１＊を設定してモータＭＧ１を駆動制御することにより、エンジン２２を目標回転数Ｎｅ＊で回転させることができる。ここで、式（２）は、モータＭＧ１を目標回転数Ｎｍ１＊で回転させるためのフィードバック制御における関係式であり、式（２）中、右辺第２項の「ＫＰ」は比例項のゲインであり、右辺第３項の「ＫＩ」は積分項のゲインである。なお、図６におけるＲ軸上の２つの太線矢印は、モータＭＧ１により反力（Ｓ軸上の下向きのトルク）を受け持ちながらエンジン２２を目標回転数Ｎｅ＊および目標トルクＴｅ＊の運転ポイントで運転させたときにエンジン２２から出力されるトルクＴｅ＊がリングギヤ軸３２ａに伝達されるトルク（以下、これを直達トルクＴｅｒ（＝−Ｔｍ１＊／ρ）と呼ぶ）と、モータＭＧ２から出力されるトルクＴｍ２＊がリングギヤ軸３２ａに作用するトルクとを示す。
【００３３】
Nm1*=(Ne*・(1+ρ)-k・V)/ρ  …（１）
Tm1*=前回Tm1*＋KP（Nm1*-Nm1)＋KI∫(Nm1*-Nm1)dt  …（２）
【００３４】
モータＭＧ１の目標回転数Ｎｍ１＊とトルク指令Ｔｍ１＊とを設定すると、要求トルクＴｒ＊とトルク指令Ｔｍ１＊と動力分配統合機構３０のギヤ比ρと変速機６０のギヤ比Ｇｒとに基づいて要求トルクＴｒ＊をリングギヤ軸３２ａに作用させるためにモータＭＧ２から出力すべきトルクとしての仮モータトルクＴｍ２ｔｍｐを次式（３）により計算する（ステップＳ２６０）。なお、式（３）は、図６の共線図に基づいて容易に導き出すことができる。そして、バッテリ５０の入出力制限Ｗｉｎ，ＷｏｕｔとモータＭＧ１のトルク指令Ｔｍ１＊と現在のモータＭＧ１の回転数Ｎｍ１とモータＭＧ２の回転数Ｎｍ２とに基づいて次式（４）および次式（５）によりモータＭＧ２から出力してもよいトルクの下限，上限としてのトルク制限Ｔｍ２ｍｉｎ，Ｔｍ２ｍａｘを計算し（ステップＳ２７０）、仮モータトルクＴｍ２ｔｍｐとトルク制限Ｔｍ２ｍａｘとのうち小さい方とトルク制限Ｔｍ２ｍｉｎとを比較し、両者のうち大きい方をモータＭＧ２のトルク指令Ｔｍ２＊に設定する（ステップＳ２８０）。これにより、モータＭＧ２のトルク指令Ｔｍ２＊を、バッテリ５０の入出力制限Ｗｉｎ，Ｗｏｕｔの範囲内で制限したトルクとして設定することができる。
【００３５】
Tm2tmp=(Tr*+Tm1*/ρ)/Gr+Tset  …（３）
Tm2min=(Win-Tm1*・Nm1)/Nm2  …（４）
Tm2max=(Wout-Tm1*・Nm1)/Nm2  …（５）
【００３６】
こうしてエンジン２２の目標回転数Ｎｅ＊や目標トルクＴｅ＊，モータＭＧ１，ＭＧ２のトルク指令Ｔｍ１＊，Ｔｍ２＊を設定すると、エンジン２２の目標回転数Ｎｅ＊と目標トルクＴｅ＊についてはエンジンＥＣＵ２４に、モータＭＧ１，ＭＧ２のトルク指令Ｔｍ１＊，Ｔｍ２＊についてはモータＥＣＵ４０にそれぞれ送信して（ステップＳ２９０）、駆動制御ルーチンを終了する。目標回転数Ｎｅ＊と目標トルクＴｅ＊とを受信したエンジンＥＣＵ２４は、エンジン２２が目標回転数Ｎｅ＊と目標トルクＴｅ＊とによって示される運転ポイントで運転されるようにエンジン２２における燃料噴射制御や点火制御などの制御を行なう。また、トルク指令Ｔｍ１＊，Ｔｍ２＊を受信したモータＥＣＵ４０は、トルク指令Ｔｍ１＊でモータＭＧ１が駆動されると共にトルク指令Ｔｍ２＊でモータＭＧ２が駆動されるようインバータ４１，４２のスイッチング素子のスイッチング制御を行なう。
【００３７】
ステップＳ１４０で変速要求がなされたと判定されると、その変速要求が変速機６０のギヤの状態をＬｏギヤからＨｉギヤに変更するアップシフトの変速要求であるかを判定する（ステップＳ１６０）。アップシフトの変速要求であると判定されると、アップシフト処理を開始する（ステップＳ１７０）。アップシフト処理は、図７に例示するアップシフト処理を実行することにより行なわれる。以下、図３の駆動制御ルーチンの説明を中断し、アップシフト処理について説明する。
【００３８】
アップシフト処理では、ハイブリッド用電子制御ユニット７０のＣＰＵ７２は、まず、現在設定されているモータＭＧ２のトルク指令Ｔｍ２＊を入力し（ステップＳ３００）、ブレーキＢ２の係合解除を開始すると共に（ステップＳ３１０）ブレーキＢ１のフリクション係合を開始し（ステップＳ３２０）、入力したトルク指令Ｔｍ２＊が所定トルクＴｒｅｆ（例えば、４Ｎ・ｍ）よりも大きいか否かを判定する（ステップＳ３３０）。トルク指令Ｔｍ２＊が所定トルクＴｒｅｆよりも大きくない即ち所定トルクＴｒｅｆ以下と判定されたときには、車速ＶとモータＭＧ２の回転数Ｎｍ２とを入力し（ステップＳ３４０）、次式（６）に示すように、入力した車速Ｖに換算係数ｋを乗じて得られるリングギヤ軸３２ａの回転数Ｎｒ（＝ｋ・Ｖ）にＨｉギヤのギヤ比Ｇｈｉを乗じることにより変速比を変更した後（変速後）のモータＭＧ２のモータ回転数Ｎｍ２＊を計算し（ステップＳ３５０）、入力した回転数Ｎｍ２が計算した変速後のモータ回転数Ｎｍ２＊近傍に至るのを待って（ステップＳ３６０）、ブレーキＢ１を完全に係合して（ステップＳ４８０）、処理を終了する。一方、トルク指令Ｔｍ２＊が所定トルクＴｒｅｆよりも大きいと判定されたときには、このアップシフト処理が開始されてから所定時間が経過するまで待って（ステップＳ３７０）、フラグＦ１に値１を設定する（ステップＳ３８０）。フラグＦ１は、アップシフト処理が開始されたときに図示しない初期化ルーチンにより値０に設定される。所定時間は、ブレーキＢ２を係合解除すると共にブレーキＢ１をフリクション係合する過程で生じるトルク相の開始を判定するためのものであり、予め実験的に求めた時間を定めた。従って、フラグＦ１の値０から値１への設定は、トルク相の開始を意味するものとなる。そして、モータＭＧ２のトルク指令Ｔｍ２＊を入力して（ステップＳ３９０）、入力したトルク指令Ｔｍ２＊に基づいてトルク指令Ｔｍ２＊が大きいほど大きくなる傾向にブレーキＢ１，Ｂ２の係合力を調整しながらイナーシャ相が開始されるまで待って（ステップＳ４１０）、フラグＦ１を値１から値０に戻すと共にフラグＦ２に値１を設定する（ステップＳ４２０）。イナーシャ相の開始はトルク相は終了する意味するから、フラグＦ１の値１から値０への設定は、トルク相の終了を意味するものとなる。また、フラグＦ２も、アップシフト処理が開始されたときに図示しない初期化ルーチンにより値０が設定される。従って、フラグＦ２の値０から値１への設定は、イナーシャ相の開始を意味するものとなる。なお、イナーシャ相が開始したか否かの判定は、モータＭＧ２の回転数Ｎｍ２の変化（例えば、モータＭＧ２の現在の回転数Ｎｍ２と前回の回転数との差）に基づいて判定することができる。そして、車速ＶとモータＭＧ２の回転数Ｎｍ２とを入力し（ステップＳ４３０）、入力した車速ＶとＨｉギヤのギヤ比Ｇｈｉとに基づいて前述した式（６）により変速後のモータ回転数Ｎｍ２＊を計算し（ステップＳ４４０）、ブレーキＢ１のフリクション係合によりモータＭＧ２の回転数Ｎｍ２が変速後のモータ回転数Ｎｍ２＊に所定値αをプラスした回転数（変速終了直前の回転数）まで低下するのを待って（ステップＳ４５０）、���ナーシャ相が終了したとしてフラグＦ２を値１から値０に戻し（ステップＳ４６０）、更に、モータＭＧ２の回転数Ｎｍ２が変速後のモータ回転数Ｎｍ２＊近傍に至るのを待って（ステップＳ４７０）、ブレーキＢ１を完全に係合して（ステップＳ４８０）、アップシフト処理を終了する。アップシフトの際の変速機６０の共線図の一例を図８に示す。図中、Ｓ１軸はダブルピニオンの遊星歯車機構６０ａのサンギヤ６１の回転数を示し、Ｒ１，Ｒ２軸はダブルピニオンの遊星歯車機構６０ａおよびシングルピニオンの遊星歯車機構６０ｂのリングギヤ６２，６６の回転数を示し、Ｃ１，Ｃ２軸はリングギヤ軸３２ａの回転数であるダブルピニオンの遊星歯車機構６０ａおよびシングルピニオンの遊星歯車機構６０ｂのキャリア６４，６８の回転数を示し、Ｓ２軸はモータＭＧ２の回転数であるシングルピニオンの遊星歯車機構６０ｂのサンギヤ６５の回転数を示す。図示するように、Ｌｏギヤの状態では、ブレーキＢ２がオンでブレーキＢ１がオフとされている。この状態でブレーキＢ２を徐々にオフしながらブレーキＢ１をフリクション係合すると、モータＭＧ２から正のトルクが出力されているときにはその正のトルクにより回転数は増加しようとするが、ブレーキＢ１のフリクション係合によりモータＭＧ２の回転数は減少する。そして、モータＭＧ２の回転数Ｎｍ２がＨｉギヤの回転数Ｎｍ２＊近傍になったときにブレーキＢ１を完全に係合することにより、Ｈｉギヤの状態に変更することができる。このとき、ブレーキＢ１，Ｂ２のオンオフを切り替える過程のトルク相においてはモータＭＧ２からリングギヤ軸３２ａに伝達されるトルクは低下し、その後、モータＭＧ２の回転数Ｎｍ２の変化が始まってイナーシャ相が開始されるとモータＭＧ２の回転子を含む慣性系のイナーシャによってモータＭＧ２からリングギヤ軸３２ａに伝達されるトルクは大きくなる。
【００３９】
Nm2*＝k・V・Ghi  …（６）
【００４０】
ステップＳ１６０でアップシフトの変速要求ではなく変速機６０のギヤの状態をＨｉギヤからＬｏギヤに変更するダウンシフトの変速要求であると判定されると、ダウンシフト処理を開始する（ステップＳ１８０）。このダウンシフト処理は、例えば、ブレーキＢ１の係合を解除して待機し、車速Ｖに基づいてＨｉギヤからＬｏギヤに変速比を変更した後のモータＭＧ２のモータ回転数Ｎｍ２＊（＝ｋ・Ｖ・Ｇｌｏ）を計算し、モータＭＧ２の回転数Ｎｍ２が変速後のモータ回転数Ｎｍ２＊近傍に至ったときにブレーキＢ２を係合することにより行なうことができる。
【００４１】
図３の駆動制御ルーチンに戻って、アップシフト処理やダウンシフト処理が開始された後や次回以降に実行されるルーチンのステップＳ１３０で変速処理中と判定されたときには、フラグＦ１が値１か否かを判定する処理を行なう（ステップＳ１９０）。この処理は、フラグＦ１が図７のアップシフト処理によりトルク相の開始から終了までの間に亘って値１が設定されることから、アップシフト処理における変速機６０の状態がトルク相の状態にあるかを判定する処理となる。フラグＦ１が値１と判定されたときには、レートΔＮｅを設定し（ステップＳ２００）、設定したレートΔＮｅを前回このルーチンで設定されたエンジン２２の目標回転数Ｎｅ＊から減じたものを新たな目標回転数Ｎｅ＊に設定し直すと共にこの目標回転数Ｎｅ＊でステップＳ１１０で設定した要求パワーＰｅ＊を割ったものを新たな目標トルクＴｅ＊に設定し直し（ステップＳ２１０）、調整トルクＴｓｅｔに正の所定トルクＴｕｐを設定して（ステップＳ２２０）、ステップＳ２３０以降の処理により、目標回転数Ｎｅ＊に基づいて前述した式（１）および式（２）によりモータＭＧ１の目標回転数Ｎｍ１＊やトルク指令Ｔｍ１＊を設定すると共に調整トルクＴｓｅｔに基づいて前述した式（３）〜式（５）によりモータＭＧ２のトルク指令Ｔｍ２＊を設定し、各設定値をエンジンＥＣＵ２４やモータＥＣＵ４０に送信して本ルーチンを終了する。ここで、レートΔＮｅは、直達トルクＴｅｒを大きくする程度を定めるものであり、例えば、アップシフト処理を開始する際にモータＭＧ２から出力されている正のトルク（トルク指令Ｔｍ２＊）が大きいほど、モータＭＧ２からリングギヤ軸３２ａに伝達されるトルクの低下の幅が大きくなるから、レートΔＮｅが大きくなるように設定することができる。勿論、予め定めた値をレートΔＮｅに設定するものとしてもよい。レートΔＮｅをもって目標回転数Ｎｅ＊を減少させると、この目標回転数Ｎｅ＊に基づいて式（１）および式（２）により計算されるモータＭＧ１のトルク指令Ｔｍ１＊（負のトルク）は小さくなるから、直達トルクＴｅｒ（＝−Ｔｍ１＊／ρ）は大きくなる。従って、アップシフト処理の際のトルク相においてモータＭＧ２からリングギヤ軸３２ａに伝達されるトルクが低下しても、リングギヤ軸３２ａに作用するトルクの低下は抑制される。このとき、直達トルクＴｅｒを大きくすることにより、モータＭＧ１により発電される電力も大きくなるが、正の所定トルクＴｕｐだけモータＭＧ２のトルク指令Ｔｍ２＊を大きくすると共に図７のアップシフト処理のステップＳ４００でモータＭＧ２のトルク指令Ｔｍ２＊に基づいてブレーキＢ１，Ｂ２の係合力を調整するから、モータＭＧ１で発電される電力はモータＭＧ２により消費される。従って、バッテリ５０には過大な電力が入力されることはない。同時に、正の所定トルクＴｕｐによるトルク指令Ｔｍ２＊の調整によりモータＭＧ２からリングギヤ軸３２ａに伝達されるトルクの低下を抑制することができる。即ち、直達トルクＴｅｒとモータＭＧ２から出力するトルクとにより変速機６０をアップシフトする際にリングギヤ軸３２ａに作用するトルクが低下するのを抑制することができるのである。
【００４２】
ステップＳ１９０でフラグＦ１が値１でない即ち値０と判定されると、フラグＦ２が値１か否かを判定する（ステップＳ２３０）。この処理は、フラグＦ２が図７のアップシフト処理によりイナーシャ相の開始から終了までの間に亘って値１が設定されることから、アップシフト処理における変速機６０の状態がイナーシャ相の状態にあるかを判定する処理となる。フラグＦ２が値１であると判定されると、調整トルクＴｓｅｔに負の所定トルクＴｄｎを設定し（ステップＳ２４０）、設定した調整トルクＴｓｅｔに基づいてステップＳ２５０以降の処理を行なって本ルーチンを終了する。一方、フラグＦ２が値１でない即ち値０と判定されると、調整トルクＴｓｅｔに値０を設定し（ステップＳ１５０）、設定した調整トルクＴｓｅｔに基づいてステップＳ２５０以降の処理を行なって本ルーチンを終了する。なお、変速機６０の状態がイナーシャ相の状態にあるときに調整トルクＴｓｅｒに負の所定トルクＴｄｎを設定するのは、イナーシャ相の開始に伴ってモータＭＧ２の回転子を含む慣性系のイナーシャによってモータＭＧ２からリングギヤ軸３２ａに伝達されるトルクが過大となるため、これを抑制するためである。
【００４３】
図９に、アップシフトの際の回転数Ｎｍ２とトルク指令Ｔｍ２＊と直達トルクＴｅｒとリングギヤ軸３２ａの出力トルクとバッテリ５０の充放電電力の時間変化の様子を示す。図示するように、モータＭＧ２から正のトルクが出力されている状態で時刻ｔ１にアップシフト処理が開始されてからブレーキＢ２をオフすると共にブレーキＢ１のフリクション係合する過程の時刻ｔ２にトルク相が開始されると、モータＭＧ１により直達トルクＴｅｒを大きくすると共にこれによりモータＭＧ１で発電された電力がモータＭＧ２で消費されるようトルク指令Ｔｍ２＊を大きくする。これにより、トルク相においてモータＭＧ２からリングギヤ軸３２ａへ伝達されるトルクの低下は抑制される。また、モータＭＧ１で発電された電力をモータＭＧ２で消費するから、過大な電力がバッテリ５０に入力されることはない。その後、時刻ｔ３にトルク相が終了してイナーシャ相が開始されると、トルク達トルクＴｅｒを元に戻してモータＭＧ２から出力するトルクを減少させるから、モータＭＧ２の回転子を含む慣性系のイナーシャによってリングギヤ軸３２ａに過大なトルクが出力されるのが抑制される。
【００４４】
以上説明した実施例のハイブリッド自動車２０によれば、モータＭＧ２から正のトルクを出力している最中に変速機６０のアップシフトに伴ってモータＭＧ２からリングギヤ軸３２ａに伝達されるトルクが低下するときには、モータＭＧ１によりエンジン２２から駆動軸としてのリングギヤ軸３２ａに直接伝達される直達トルクＴｅｒが大きくなるようエンジン２２とモータＭＧ１とを制御し、これに伴ってモータＭＧ１で発電される電力がモータＭＧ２により消費されるようモータＭＧ２と変速機６０のブレーキＢ１，Ｂ２とを制御するから、過大な電力をバッテリ５０に入力させることなく変速機６０をアップシフトする際にリングギヤ軸３２ａに出力されるトルクが低下するのを抑制することができる。
【００４５】
実施例のハイブリッド自動車２０では、アップシフト処理において直達トルクＴｅｒを大きくすると共にこれに伴ってモータＭＧ１で発電される電力をモータＭＧ２で消費させるものとしたが、変速機６０のギヤの状態を変更する態様によってはダウンシフト処理においてもリングギヤ軸３２ａに出力されるトルクの低下を抑制するために直達トルクＴｅｒを大きくすると共にこれに伴ってモータＭＧ１で発電される電力をモータＭＧ２で消費させるものとしてもよい。
【００４６】
実施例のハイブリッド自動車２０では、図３のステップＳ２２０で正の所定トルクＴｕｐを調整トルクＴｓｅｔに設定しこの設定した調整トルクＴｓｅｔに基づいてモータＭＧ２のトルク指令Ｔｍ２＊を設定することにより直達トルクＴｅｒの増大に伴ってモータＭＧ１で発電された電力をモータＭＧ２で消費させるものとしたが、直達トルクＴｅｒの増大に伴ってモータＭＧ１で発電される電力が丁度モータＭＧ２で消費されるよう調整トルクＴｓｅｔを設定するものとしてもよい。この場合、例えば、図３のステップＳ１２０で設定された目標回転数Ｎｅ＊に基づいて前述した式（１）および式（２）によりモータＭＧ１の仮トルク指令Ｔｍ１ｔｍｐを計算し、計算した仮トルク指令Ｔｍ１ｔｍｐと直達トルクＴｅｒを大きくするためにステップＳ２１０で設定された目標回転数Ｎｅ＊に基づいてステップＳ２５０で計算されるモータＭＧ１のトルク指令Ｔｍ１＊との偏差をモータＭＧ１の回転数Ｎｍ１で乗じて得られるモータＭＧ１の発電パワーをモータＭＧ２の回転数Ｎｍ２で割ったもの（次式（７）参照）を調整トルクＴｓｅｔに設定するものとすればよい。
【００４７】
Tset＝（Tm1tmp-Tm1*)・Nm1/Nm2  …（７）
【００４８】
実施例のハイブリッド自動車２０では、エンジン２２の目標回転数Ｎｅ＊を減少させてモータＭＧ１から出力する負のトルクを小さくする（絶対値を大きくする）ことにより直達トルクＴｅｒを大きくするものとしたが、エンジン２２の目標トルクＴｅ＊を大きくすることにより直達トルクＴｅｒを大きくするものとしてもよい。
【００４９】
実施例のハイブリッド自動車２０では、ＨｉギヤとＬｏギヤの２段の変速段をもって変速比を変更可能な変速機６０を用いるものとしたが、２段の変速段に限られるものではなく、３段以上の変速段とするものとしてもよい。
【００５０】
実施例のハイブリッド自動車２０では、モータＭＧ２の動力を変速機６０により変速してリングギヤ軸３２ａに出力するものとしたが、図１０の変形例のハイブリッド自動車１２０に例示するように、モータＭＧ２の動力をリングギヤ軸３２ａが接続された車軸（駆動輪３９ａ，３９ｂが接続された車軸）とは異なる車軸（図１０における車輪３９ｃ，３９ｄに接続された車軸）に接続するものとしてもよい。
【００５１】
実施例のハイブリッド自動車２０では、エンジン２２の動力を動力分配統合機構３０を介して駆動輪３９ａ，３９ｂに接続された駆動軸としてのリングギヤ軸３２ａに出力するものとしたが、図１１の変形例のハイブリッド自動車２２０に例示するように、エンジン２２のクランクシャフト２６に接続されたインナーロータ２３２と駆動輪３９ａ，３９ｂに動力を出力する駆動軸に接続されたアウターロータ２３４とを有し、エンジン２２の動力の一部を駆動軸に伝達すると共に残余の動力を電力に変換する対ロータ電動機２３０を備えるものとしてもよい。
【００５２】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００５３】
本発明は、自動車産業に利用可能である。
【図面の簡単な説明】
【００５４】
【図１】本発明の一実施例である動力出力装置を搭載したハイブリッド自動車２０の構成の概略を示す構成図である。
【図２】変速機６０の構成の概略を示す構成図である。
【図３】実施例のハイブリッド自動車２０のハイブリッド用電子制御ユニット７０により実行される駆動制御ルーチンの一例を示すフローチャートである。
【図４】要求トルク設定用マップの一例を示す説明図である。
【図５】エンジン２２の動作ラインおよび目標回転数Ｎｅ＊と目標トルクＴｅ＊とを設定する様子を示す説明図である。
【図６】動力分配統合機構３０の各回転要素の回転数とトルクの力学的な関係を示す共線図である。
【図７】アップシフト処理の一例を示すフローチャートである。
【図８】アップシフトの際の変速機６０の共線図の一例を示す説明図である。
【図９】アップシフトの際の回転数Ｎｍ２とトルク指令Ｔｍ２＊と直達トルクＴｅｒとリングギヤ軸３２ａの出力トルクとバッテリ５０の充放電電力の時間変化の様子を示す説明図である。
【図１０】変形例のハイブリッド自動車１２０の構成の概略を示す構成図である。
【図１１】変形例のハイブリッド自動車２２０の構成の概略を示す構成図である。
【符号の説明】
【００５５】
２０，１２０，２２０  ハイブリッド自動車、２２  エンジン、２４  エンジン用電子制御ユニット（エンジンＥＣＵ）、２６  クランクシャフト、２８  ダンパ、３０  動力分配統合機構、３１  サンギヤ、３２  リングギヤ、３２ａ  リングギヤ軸、３３  ピニオンギヤ、３４  キャリア、３７  ギヤ機構、３８  デファレンシャルギヤ、３９ａ，３９ｂ  駆動輪、３９ｃ，３９ｂ  車輪、４０  モータ用電子制御ユニット（モータＥＣＵ）、４１，４２  インバータ、４３，４４  回転位置検出センサ、４８  回転軸、５０  バッテリ、５２  バッテリ用電子制御ユニット（バッテリＥＣＵ）、５４  電力ライン、６０  変速機、６０ａ  ダブルピニオンの遊星歯車機構、６０ｂ  シングルピニオンの遊星歯車機構、６１  サンギヤ、６２  リングギヤ、６３ａ  第１ピニオンギヤ、６３ｂ  第２ピニオンギヤ、６４  キャリア、６５  サンギヤ、６６  リングギヤ、６７  ピニオンギヤ、６８  キャリア、７０  ハイブリッド用電子制御ユニット、７２  ＣＰＵ、７４  ＲＯＭ、７６  ＲＡＭ、８０  イグニッションスイッチ、８１  シフトレバー、８２  シフトポジションセンサ、８３  アクセルペダル、８４  アクセルペダルポジションセンサ、８５  ブレーキペダル、８６  ブレーキペダルポジションセンサ、８８  車速センサ、２３０  対ロータ電動機、２３２  インナーロータ、２３４  アウターロータ、ＭＧ１，ＭＧ２  モータ、Ｂ１，Ｂ２  ブレーキ。
【図１】
2006248466.tif 000003
【図２】
2006248466.tif 000004
【図３】
2006248466.tif 000005
【図４】
2006248466.tif 000006
【図５】
2006248466.tif 000007
【図６】
2006248466.tif 000008
【図７】
2006248466.tif 000009
【図８】
2006248466.tif 000010
【図９】
2006248466.tif 000011
【図１０】
2006248466.tif 000012
【図１１】
2006248466.tif 000013